(57)【要約】  高温飲料生成デバイスが、水を加熱するボイラと、ボイラ及びデバイスの他の構成部品を収容するハウジングと、ボイラをハウジングへ接続する接続手段と、を有する。ボイラの動作中、水が加熱され且つ水蒸気泡がボイラ内に作り出される。気泡の形成は、ボイラ１０の重心周りの異なったモーメントを引き起こす。接続手段は、モーメント変動の少なくとも一部分が前記ハウジングへ伝達されることを防ぐよう適合され、それによりハウジングの振動の結果生み出された騒音を、許容可能な程度に保つ。好ましい実施形態において、接続手段が適合されて、ボイラが少なくとも１つの回転自由度を有するようにする。
2007536971.tif 000002
【特許請求の範囲】
【請求項１】
コーヒー又は茶のような高温飲料生成デバイスであって：
水を加熱するボイラと；
該ボイラ及び当該デバイスの他の構成部品を収容するハウジングと；
前記ボイラを前記ハウジングへ接続する接続手段であり、前記ボイラの動作に付随するモーメント変動の少なくとも一部分が前記ハウジングへ伝わることを防ぐよう適合される、ところの接続手段と、
を有する、
ところの高温飲料生成デバイス。
【請求項２】
前記接続手段は適合されて、前記ボイラが少なくとも１つの回転自由度を有するようにさせる、
請求項１記載のデバイス。
【請求項３】
前記接続手段は適合されて、単一の接触領域のみにわたって接触を確立する、
請求項１又は２記載のデバイス。
【請求項４】
前記接続手段は少なくとも１つの可撓性素子を有する、
請求項１乃至３の何れか一項に記載のデバイス。
【請求項５】
前記ボイラは前記ハウジングから吊られる、
請求項１乃至４の何れか一項に記載のデバイス。
【請求項６】
前記接続手段は２つの部分を有し、１つの部分は別の部分に位置するが当該別の部分へ固定されない、
請求項１乃至５の何れか一項に記載のデバイス。
【請求項７】
サスペンションストリングと、
支持ロッドと、
を有し、
前記サスペンションストリングの両端は前記ボイラの１つ及び前記ハウジングへ取り付けられ、
前記支持ロッドは前記ボイラの別の１つ及び前記ハウジングへ取り付けられ、且つ
前記サスペンションストリング及び前記支持ロッドは互いに係合するが互いに固定されない、
請求項１乃至６の何れか一項に記載のデバイス。
【請求項８】
前記ボイラは前記ハウジングから吊られ、且つ
前記ボイラは少なくとも１つのサスペンションストリングを通って前記ハウジングへ接続される、
請求項１乃至５の何れか一項に記載のデバイス。
【請求項９】
前記ボイラは前記ハウジングから吊られ、
前記ボイラ及び前記ハウジングの両方は、開口を有する接続部材とともに設けられ、前記ボイラ及び前記ハウジングは、前記接続部材の両方における前記開口を通って延在する接続リングによって相互接続される、
請求項１乃至５の何れか一項に記載のデバイス。
【請求項１０】
前記ボイラは前記ハウジングから吊られ、
前記ボイラ及び前記ハウジングの両方は開口を有する接続部材とともに設けられ、
前記ボイラの前記接続部材の一部分は前記ハウジングの前記接続部材における前記開口を通って延在し、且つ
前記ハウジングの前記接続部材の一部分は前記ボイラの前記接続部材における前記開口を通って延在する、
請求項１乃至５の何れか一項に記載のデバイス。
【発明の詳細な説明】
【技術分野】
【０００１】
本発明は、コーヒー又は茶のような高温飲料を生成するデバイスであって、
水を加熱するボイラと；
ボイラ及び当該デバイスの他の構成部品を収容するハウジングと；
ボイラをハウジングへ接続する接続手段と、
を有する高温飲料生成デバイスに係る。
【背景技術】
【０００２】
かかるデバイスの多くの実施形態が、実際に知られている。たとえば、コーヒー生成デバイスが、知られている。コーヒー生成デバイスは、コーヒーが実際に生成される抽出チャンバを有する。使用者が、或る量のコーヒーを得ることを望んだ場合、使用者は、或る量の碾かれたコーヒー豆で満たされたエンベロプを含むコーヒーパッドを、抽出チャンバに置く。コーヒーメーカーの動作中、或る量の水が、コーヒーパッドを通じて流れるよう強いられる。この工程において、エンベロプは、フィルタとして作用する。このやり方で、抽出チャンバ内のコーヒーパッドと加圧された水との間の相互作用に基づいて、所望の量のコーヒーが、得られる。
【０００３】
水を所定の温度（通常は約９５℃）まで加熱する目的で、コーヒーメーカーは、ボイラを含む。ボイラは、水を入れる容器及び水を加熱する加熱手段を有する。水を加圧する目的で、コーヒーメーカーは、ポンプを有する。ポンプ、ボイラ及び抽出チャンバが、水を輸送する管によって相互接続される。
【０００４】
実際問題として、コーヒー生成の工程中、コーヒーメーカーは、ボイラが水を加熱するために使用されている間多くの騒音を発生すると思われる。騒音は、コーヒーメーカーのハウジングの振動によって引き起こされると思われる。
【発明の開示】
【発明が解決しようとする課題】
【０００５】
本発明は、新規の設計を有するコーヒーメーカーを提供することを目的とする。新規の設計を有するコーヒーメーカーのボイラの動作中に生み出される騒音レベルは、知られたコーヒーメーカーのボイラの動作中に生み出される騒音レベルより低い。
【課題を解決するための手段】
【０００６】
本目的は、ボイラをハウジングへ接続する接続手段の設計を変えることによって達成され、設計の変更によって得られた接続手段は、ボイラの動作に付随するモーメント変動の少なくとも一部分が、前記ハウジングへ伝達されることを防ぐよう適合される。
【０００７】
本発明の基となる重要な洞察によれば、知られたコーヒーメーカーにおいてハウジングの振動が得られるのは、ボイラの動作に関連する以下の一連のイベントの結果である。
−加熱工程の結果、水上気泡が、ボイラ内に作り出される。
−気泡が作り出された結果、ボイラの重心が瞬時に変位され、且つ重心周りのモーメント変動が得られる。
−モーメント変動は、接続手段を通じてハウジングへ伝えられる。接続手段によって、ボイラは、ハウジングへ接続される。
【０００８】
知られたコーヒーメーカーにおいて、ボイラは、ハウジングへ固定して取り付けられ、且つこの事実は、ボイラの動作中ハウジングの振動を得る工程において重要な役割を果たすと思われる。接続手段は、ボイラ及びハウジングの両方へ固定して取り付けられるので、ボイラの動作中に接続手段のボイラ側で存在するモーメント変動が、接続手段のハウジング側へ伝えられる。接続手段のハウジング側で、モーメント変動は、ハウジングへ伝えられて、ハウジングの振動を引き起こす。
【０００９】
本発明によれば、コーヒーメーカーは、接続手段とともに提供され、接続手段は、適合されて、ボイラの動作に付随するモーメント変動の少なくとも一部分がハウジングへ伝達されることを防ぐ。これらの接続手段を適用する結果、ハウジングの振動が、略低減し且つ生み出される騒音レベルも同じく低減する。
【００１０】
好ましくは、接続手段は、ボイラが少なくとも１つの回転自由度を有するように適合されるので、ボイラの動作中、モーメント変動の少なくとも一部分が、実際にボイラの傾きを引き起こし、これらモーメント変動はハウジングへ伝達されない。概して、ボイラが、可能な限りの３つの回転自由度全てを有する場合よりも、ボイラが１つの回転自由度のみを有する場合のほうが、生み出される騒音レベルの減少は少ないことを理解されたい。
【００１１】
本発明の範囲内であれば、多くの実際的な実施形態が、想定できる。たとえば接続手段は、２つの部分を含んでもよく、１つの部分は、別の部分（another  part）の上に載置されるが当該別の部分へ固定されない。接続手段は、ゴム製リング、ゴム製ストリップ又はゴム製ワイヤのような少なくとも１つの可撓性部材を有することもまた可能である。
【発明を実施するための最良の形態】
【００１２】
本発明を、図面を参照しながら、次により詳細に説明する。
【００１３】
図１〜図７は、コーヒー又は茶といった高温飲料を生成するデバイスのボイラ１０又はボイラ１０の一部分を、図式的に示す。ボイラ１０は、水を加熱する役割を果たし、且つ水を入れる容器１１及び熱を水に供給する加熱手段１２を含む（図１参照）。
【００１４】
ボイラ１０又はボイラ１０の一部分の他に、図１〜図７はまた、高温飲料生成デバイスのハウジング２０の一部分を、図式的に示す。ハウジング２０は、ボイラ１０、及びデバイスの他の構成部品（図示せず）を収容する役割を果たす。ボイラ１０は、接続手段３０によってハウジング２０へ接続される。
【００１５】
特に、本発明は、接続手段３０に係る。したがって、ハウジング２０の正確な形状は、必須ではない。更に、ボイラ１０は、如何なる適当なボイラであってもよい。複数の図面において、簡略さのために、ボイラ１０は、閉鎖された円筒物として示され、ボイラ１０の吸水口及び吐水口のような詳細は、示されていない。
【００１６】
図１に示す構成では、ボイラ１０は、ハウジング２０の一部分の下に設置されてハウジング２０へと接続されている。ハウジング２０は、フック３１を含む。フック３１は、自由端部分３２を有し、自由端部分３２は、上向きに延在する。すなわち、端部分３２の外方先端部３３が、自由端部分３２の最も高い先端部を構成する。ボイラ１０の上面１３で、湾曲した接続アーム３４が、配置される。接続アーム３４の自由端部分３５において、凹部３６が、設けられる。凹部３６は、ボイラ１０の側部に開いている。
【００１７】
ボイラ１０は、ハウジング２０へ接続される。接続は、接続アーム３４の端部分３５とフック３１との係合を通じてであり、フック３１の端部分３２の外方先端部３３は、凹部３６によって収容され、凹部３６は、接続アーム３４の自由端部分３５にある。その結果、ボイラ１０とハウジング２０との間の接触が、フック３１の端部分３２の外方先端部３３の上にのみ確立される。
【００１８】
図示する構成において、ボイラ１０は、３つの垂直な回転軸について自由に角度変化できる。換言すれば、ボイラ１０は、３つの回転自由度全て（all  three  rotational  degrees  of  freedom）を有する。ボイラ１０の動作中、加熱手段１２が作動され且つ水中に蒸気泡が形成されたとき、モーメント変動（moment  variation）が、蒸気泡の影響によってボイラ１０の重心の位置に引き起こされ、ボイラ１０の運動を招く。ボイラ１０の運動とは、ボイラ１０が、接続アーム３４の端部分３５がフック３１の端部分３２の外方先端部３３と接触する先端部周りを、全ての可能性のある回転方向に運動することである。好都合な結果としては、モーメント変動は、ハウジング２０へは伝わらないので、ハウジング２０が、ボイラ１０に起きたモーメント変動の影響下で振動するという状況が、回避される。これに起因して、ボイラ１０の動作に付随した騒音レベルは、比較的低い。
【００１９】
図２が示す構成もまた、ボイラ１０が、ハウジング２０の一部分の下に設置されてハウジング２０へと接続されている。ボイラ１０の上面１３で、開口３８を有する接続部材３７が、配置される。ハウジング２０もまた、開口４０を有する接続部材３９を含む。接続部材３７、３９は、接続リング４１によって相互接続される。接続リング４１は、接続部材３７、３９両方における開口３８、４０を通って延在する。好ましくは、接続リング４１は、ゴムのような可撓性材料を含む。
【００２０】
接続リング４１は、省略されてもよく、且つボイラ１０の接続部材３７は、ハウジング２０の接続部材３９へ直接接続されてもよい。その場合、図３に示すが、ボイラ１０の接続部材３７の一部分が、ハウジング２０の接続部材３９における開口４０を通って延在するのに対して、ハウジング２０の接続部材３９の一部分が、ボイラ１０の接続部材３７における開口３８を通って延在する。
【００２１】
図２及び図３に示す構成において、ボイラ１０は、回転運動を行う多くの自由を有する。回転運動は、ボイラ１０の動作中に発生するモーメント変動に反応して行われる。したがって、これらの構成において、モーメント変動のかなりの部分が、ボイラ１０の運動を招くがハウジング２０へは伝わらない。
【００２２】
図１〜図３と同様、図４に示す構成は、ボイラ１０が、ハウジング２０の一部分の下に設置されてハウジング２０へと接続されている。ボイラ１０の上面１３で、サスペンションストリング４２が、配置される。サスペンションストリング４２の両端部は、上面１３へ接続されている。好ましくは、サスペンションストリング４２は、ゴムのような可撓性材料を含む。サスペンションストリング４２は、支持ロッド４３によって支持され、支持ロッド４３は、略水平方向にハウジング２０から延在する。
【００２３】
好ましくは、図４に示すように、支持ロッド４３の横断面は、三角形状を有し、三角形の底辺が下で且つ三角形の頂角が上である。このやり方において、支持ロッド４３の比較的鋭い上端部４４が得られ、且つボイラ１０のサスペンションストリング４２と支持ロッド４３との間の接触領域が最小化されるので、ボイラ１０の運動の自由が、最適化される。最適なボイラ１０の運動の自由は、ボイラ１０の動作中にハウジング２０へ伝わるモーメント変動の最小化をもたらし、且つ結果として、ハウジング２０の振動及び生み出される騒音の最小化をもたらす。
【００２４】
支持ロッド４３は、ハウジング２０へ堅固に接続できるが、たとえば、ハウジング２０が、開口とともに設けられ、且つ支持ロッド４３の端部が、その開口に挿入され、ゴム製リング等が、支持ロッド４３の端部とハウジング２０の周辺部分との間に位置付けられることもまた可能である。後者の場合、ゴム製リングは、ハウジング２０の振動を防ぐという更なる役割を果たす。
【００２５】
サスペンションストリング４２及び支持ロッド４３を有する構成は、上述した構成とは異なった様式で設計されてもよいことを理解されたい。支持ロッド４３は、ボイラ１０へ取り付けられてもよく、且つサスペンションストリング４２は、ハウジング２０へ取り付けられてもよく、ここで、支持ロッド４３は、サスペンションストリング４２の上に載置されている。
【００２６】
図５及び図６において、ボイラ１０が、ハウジング２０から吊るされた構成を示す。図５に示す構成において、ボイラ１０とハウジング２０との間に延在する１つのサスペンションストリング４５が、適用される。図６に示す構成において、２つのかかるサスペンションストリング４５が、適用される。好ましくは、サスペンションストリング４５は、ゴムのような可撓性材料を含む。サスペンションストリング４５とボイラ１０との間の接続は、如何なる適当なやり方で実現してもよい。同じことが、サスペンションストリング４５とハウジング２０との間の接続にも当てはまる。
【００２７】
図５及び図６に示す構成において、ボイラ１０は、ハウジング２０に関して回転運動を行うための多くの自由を有する。両方の構成とも３つの回転自由度全てを有する。しかしながら、図５に示すような１つのサスペンションストリング４５を有する構成において、ボイラ１０は、図６に示す２つのサスペンションストリング４５を有する構成よりも、ボイラ１０の縦軸周りを回転する自由を有する。後者の構成の好都合な点は、ボイラ１０とハウジング２０との間により確実な接続が得られることである。
【００２８】
図示される例において、サスペンションストリング４５は、受け入れ部材４６を用いてボイラ１０へ接続される。受け入れ部材４６は、ボイラ１０の上面１３上に配置される。サスペンションストリング４５は、ボイラ１０及びハウジング２０の両方に堅固に接続できる。
【００２９】
しかしながら、少なくとも、１つのサスペンションストリング４５を有する構成において、サスペンションストリング４５と少なくとも１つのボイラ１０とハウジング２０との間の接続が、サスペンションストリング４５の縦軸に垂直な平面において、サスペンションストリング４５と少なくとも１つのボイラ１０とハウジング２０との間の如何なる角偏位をも許されるような接続であることもまた可能である。たとえば、受け入れ部材４６は、ボイラ１０の上面１３に関して回転可能に配置することができる。
【００３０】
図７において、ボイラ１０の上側だけでなく下側もハウジング２０へ接続されている構成が、示される。それ故、ボイラ１０は、ハウジング２０から吊られるだけではなく、ハウジング２０によってもまた支持される。
【００３１】
ボイラ１０を支持する目的で、ハウジング２０は、ピン４７を含む。ピン４７は、図示される例では、略垂直方向に延在する。ボイラ１０は、ボイラ１０の下面から延在する支持アーム４９を通って、ピン４７の比較的鋭い先端部４８の上に載置されている。その結果、ボイラ１０の下側で、ボイラ１０とハウジング２０との間の接触が、ピン４７の先端部４８の上にのみ確立される。図７において、明瞭にするために、ピン４７の上部分を包囲する、支持アーム４９の端部分５０が、断面図で示される。
【００３２】
ボイラ１０の横転を防ぐため、ボイラ１０はまた、ボイラ１０の上側でハウジング２０へ接続される。この接続は、たとえば、単純且つ比較的弱いゴム製ストリング５１を用いることで実現できる。ゴム製ストリング５１によって、ボイラ１０の回転運動は、妨げられない。
【００３３】
図７に示す構成において、図１〜図６に基づいて説明された構成と同様、ボイラ１０の動作中に得られるハウジング２０の振動は、最小限である。何故なら、ボイラ１０とハウジング２０との間の接続は、ボイラ１０が、完全ではないが可能な限り自由に回転運動を行えるような接続であるからである。回転運動は、ボイラ１０の動作中に発生するモーメント変動によって引き起こされる。ボイラ１０とハウジング２０との間の接続は、モーメント変動のハウジング２０への伝達を防ぐよう設計され、モーメント変動は、ボイラ１０の内側の気泡の形成によって引き起こされる。
【００３４】
当業者であれば、本発明の範囲は上記に説明した例に限定されず、その幾つかの修正及び変更が、添付の請求項に定められた本発明の範囲から逸脱することなく可能であることが明らかであろう。
【００３５】
図１〜図７に示す例の他に、数多くの構成が、本発明の範囲内で可能である。かかる構成の重要な態様が、ボイラ１０が、ハウジング２０へ堅固に接続されていないことであり、接続は、ボイラ１０の少なくとも１つの回転方向における運動が許されるような接続である。この手段を用いることによって、ボイラ１０の動作に付随するモーメント変動の少なくとも一部分が、ハウジング２０へ伝わることが防止されるので、ハウジング２０の振動及び付随する騒音は、モーメント変動の伝達を制限する手段が何もとられない状況に対して低減される。
【００３６】
本発明は、ボイラ１０が少なくとも１つの回転自由度を有するよう、接続手段３０を適合することによって実現できる。好ましい実施形態において、接続手段３０は、ボイラ１０が少なくとも２つの回転自由度を有するよう適合される。より好ましい実施形態において、接続手段３０は、ボイラ１０が３つの回転自由度全てを有するよう適合される。
【図面の簡単な説明】
【００３７】
【図１】ボイラ及び飲料生成デバイスのハウジングの一部分の断面を図式的に示し、本発明の第１の好ましい実施形態に従って、ボイラは、接続手段によってハウジングへ接続されている。
【図２】ボイラ及び飲料生成デバイスのハウジングの一部分を図式的に示し、本発明の第２の好ましい実施形態に従って、ボイラは、接続手段によってハウジングへ接続されている。
【図３】ボイラ及び飲料生成デバイスのハウジングの一部分を図式的に示し、本発明の第３の好ましい実施形態に従って、ボイラは、接続手段によってハウジングへ接続されている。
【図４】ボイラの一部分及び飲料生成デバイスのハウジングの一部分を図式的に示し、本発明の第４の好ましい実施形態に従って、ボイラは、接続手段によってハウジングへ接続されている。
【図５】ボイラ及び飲料生成デバイスのハウジングの一部分を図式的に示し、本発明の第５の好ましい実施形態に従って、ボイラは、接続手段によってハウジングへ接続されている。
【図６】ボイラ及び飲料生成デバイスのハウジングの一部分を示し、本発明の第６の好ましい実施形態に従って、ボイラは、接続手段によってハウジングへ接続されている。
【図７】ボイラ及び飲料生成デバイスのハウジングの一部分を示し、本発明の第７の好ましい実施形態に従って、ボイラは、接続手段によってハウジングへ接続されている。
【図１】
2007536971.tif 000003
【図２】
2007536971.tif 000004
【図３】
2007536971.tif 000005
【図４】
2007536971.tif 000006
【図５】
2007536971.tif 000007
【図６】
2007536971.tif 000008
【図７】
2007536971.tif 000009
【国際調査報告】
2007536971.tif 000010
2007536971.tif 000011